(57)【特許請求の範囲】
【請求項１】
排水用のピットを備えた基礎上に、太陽熱を利用して木材を温めて木材中の水分を蒸発させるための木材乾燥室と、前記木材乾燥室に隣接する除湿室とが設けられ、前記木材乾燥室と除湿室とは、これらを仕切る仕切り断熱壁上に設けた空気循環用間隙を介して接続されていることを特徴とする太陽熱利用の木材乾燥装置。
【請求項２】
除湿室側に排気ファンが設けられていることを特徴とする請求項１に記載の太陽熱利用の木材乾燥装置。
【請求項３】
除湿室内に除湿機が設けられていることを特徴とする請求項１または２に記載の太陽熱利用の木材乾燥装置。
【請求項４】
木材乾燥室または除湿室あるいはピットのいずれかに対流促進用のファンが設けられていることを特徴とする請求項１〜３のいずれかに記載の太陽熱利用の木材乾燥装置。
【発明の詳細な説明】
【技術分野】
【０００１】
本発明は、太陽熱（太陽光による）を利用して木材を乾燥させるための木材乾燥装置に関する。
【背景技術】
【０００２】
従来、木材乾燥は、自然のポテンシャルを利用し、屋外桟積み乾燥法が主流であったが、小口割れ、表面割れ、ねじれが生じ、乾燥速度が遅く、梅雨期や降雪地帯の冬季には、ほとんど乾燥が進行しないことが知られている。
【０００３】
現在人工乾燥装置の主流は、蒸気加熱乾燥方式であり、蒸気を熱源として、過熱した空気の生蒸気を噴射し温度調整を行う乾燥法で、人工乾燥材の８割がこの乾燥方法で生産されている。
【０００４】
さらに、乾燥速度が速く木材の損傷が少なくて済む乾燥方法として、減圧乾燥装置、高周波減圧乾燥装置、低温除湿乾燥装置、太陽熱を利用する除湿乾燥装置などがあることも知られている（例えば、非特許文献１参照）。
【０００５】
従来の太陽熱利用の木材乾燥装置として、ビニールハウスを改良し、温室構造の乾燥室内にファンを配置し、室内空気をゆっくり循環させて木質バイオマスの燃焼熱を用い、かつ太陽熱を補完し、湿潤空気を排気する機能を施した木材乾燥装置も知られている（例えば、特許文献１参照）。
【０００６】
なお、建築用木材は、定尺長さとして６ｍ、５ｍ、４ｍ、３ｍ、２ｍ物があり、通常は４ｍ、３ｍ物として流通しているが、長尺であるが故に、反り、曲がり、割れが生じ易い欠点がある。
【特許文献１】特許第３８９３４０７号公報
【非特許文献１】「木材乾燥の実際  西尾  茂    著」日刊木材新聞社  平成３年発行  Ｐ―７７
【発明の開示】
【発明が解決しようとする課題】
【０００７】
近年、建築および生活様式が近代化した冷暖房設備を備えた建築物が主流であるが故、木材の含水率の低下が顕著になり、建築基準法で定められている木材含水率１５％以下の内装材、２５％以下の木製構造材でも、変形収縮し、柱、梁材が割れたり、反りが生じ、又、床板に隙間が生じる等、木製品のトラブルが続出している。
そこで、家具用材は素より平衡含水率１２％以下の乾燥木材が強く求められている。
【０００８】
しかし、従来の木材乾燥方法は、表面割れ、内部割れ、狂い、細胞の落ち込み、変色、強度低下、防犠牲、耐久性の点で問題があり、かつ化石燃料を使いＣＯ２排出等の地球環境にも問題がある。
本発明は、ＣＯ２の排出等の木材の乾燥方法が有していた問題を解決しようとするものであり、割れの少ない良質な平衡含水率１２％以下の乾燥木材をも生産しうる太陽熱利用除湿乾燥装置を提供することを目的とする。
【課題を解決するための手段】
【０００９】
前記の課題を有利に解決するために、第１発明の太陽熱利用の木材乾燥装置においては、排水用のピットを備えた基礎上に、太陽熱を利用して木材を温めて木材中の水分を蒸発させるための木材乾燥室と、前記木材乾燥室に隣接する除湿室とが設けられ、前記木材乾燥室と除湿室とは、これらを仕切る仕切り断熱壁上に設けた空気循環用間隙を介して接続されていることを特徴とする。
第２発明では、第１発明の太陽熱利用の木材乾燥装置において、除湿室側に排気ファンが設けられていることを特徴とする。
第３発明では、第１発明または第２発明の太陽熱利用の木材乾燥装置において、除湿室内に除湿機が設けられていることを特徴とする。
第４発明では、第１〜第３発明のいずれかの太陽熱利用の木材乾燥装置において、木材乾燥室または除湿室あるいはピットのいずれかに対流促進用のファンが設けられていることを特徴とする。
【発明の効果】
【００１０】
本発明によると、太陽熱を利用して木材乾燥室内の包装木材（以下、単に木材とも言う）を温めて乾燥初期に木材表面が低い湿度となることを防ぎつつ木材中に含まれる水分を蒸発させ、その水分を含む湿潤空気を前記木材乾燥室に隣接する除湿室に対流させ、除湿室に流入した前記湿潤空気を除湿室で除湿して湿度が低下した乾燥空気とし、その乾燥空気を排水用のピットを介して前記木材乾燥室に戻すように循環させると、除湿割れの少ない良質な乾燥木材を生産することができる。例えば、除湿割れの少ない良質な平衡含水率１２％以下の乾燥木材をも容易に生産することができる。
第１発明によると、排水用のピットを備えた基礎上に、太陽熱を利用して木材を温めて木材中の水分を蒸発させるための木材乾燥室と、前記木材乾燥室に隣接する除湿室とが設けられ、前記木材乾燥室と除湿室とは、これらを仕切る仕切り断熱壁上に設けた空気循環用間隙を介して接続されているので、木材乾燥装置の構成が簡単であり、安価な木材乾燥装置とすることができる。また、木材乾燥室および除湿割れの少ない良質な乾燥木材を生産することができ、例えば、良質な平衡含水率１２％以下の乾燥木材をも容易に安価に生産することができる。
また、第２発明のように、除湿室側に排気ファンが設けられていると、除湿室内の湿潤空気の一部を排気して湿潤室内の湿潤空気を少なくすることができると共に空気の対流を促進することができ、木材の乾燥を促進することができる。
第３発明のように、除湿室内に除湿機が設けられていると、積極的に湿潤空気を除湿することができると共に空気の対流を促進して、木材の乾燥を促進することができる。
第４発明のように、木材乾燥室または除湿室あるいはピットのいずれかに対流促進用のファンが設けられていると、空気の対流を積極的に促進して、木材の乾燥を促進することができる。
【発明を実施するための最良の形態】
【００１１】
次に、本発明を図示の実施形態に基づいて詳細に説明する。
【００１２】
図１〜図３には、本発明の第１実施形態の木材乾燥装置１が示されている。
【００１３】
図示の木材乾燥装置１では、図１に示すように、地盤２に設けられた断面ほぼ箱形のコンクリート基礎３と、そのコンクリート基礎３上に構築された木材を乾燥させるために配置する木材乾燥室４Ａと湿潤空気結露用の循環通路Ａを備えた除湿室４Ｂとを備えている。以下、コンクリート基礎３の構造を説明した後、前記基礎３上の木材乾燥室４Ａおよび除湿室４Ｂについて説明する。
【００１４】
先ず、コンクリート基礎３について説明する。
地盤２に凹溝が設けられて構築された前記コンクリート基礎３は、地盤面Ｆよりも高レベル位置とされた前端部に、左右方向に延長する平坦な高レベル位置の前端上面５を有し、前記前端上面５に接続すると共に後部側に向かって上面のレベルが漸次下がるように傾斜する傾斜上面６およびその傾斜上面６の低レベル端に接続する平坦な下位レベルの底部上面７を有する傾斜上面付き底版８と、その底版８に一体に設けられ垂直に立ち上がる後部縦基礎壁９と、前記底版８および後部縦基礎壁９に一体に設けられた左右の各側部縦基礎壁１０とを備えている。
【００１５】
前記の傾斜上面付き底版８と、後部縦基礎壁９と、左右の各側部縦基礎壁１０とにより後部に向かって深くなる断面溝形の集水ピット１１が形成されている。
【００１６】
前記集水ピット１１には、排水孔１２が設けられ、その排水孔１２には、下水管等に接続する排水管１２ｂが接続され、前記の排水管１２ｂは地盤２に埋め込み配置されている。
【００１７】
前記の側部縦基礎壁１０は、前記の前端上面５と同レベルとされた前部側の低レベル側部縦基礎壁１０と、前記低レベル側部縦基礎壁１０よりも後部に位置する高レベル側部縦基礎壁１０とを備えている。
【００１８】
次に前記コンクリート基礎３上に設置された湿潤空気凝縮用の循環通路Ａを備えた木材乾燥室４Ａの構造について説明する。
【００１９】
コンクリート基礎３における前端上面５および低レベル側部縦基礎壁１０の後部並びに後部縦基礎壁９に、それぞれ左右方向に延長すると共に前後方向に間隔をおいて平行に、角材等からなる前部側の土台１３ａおよび大引１４並びに後部側の土台１３ｂが順に設置され、図示省略のアンカーボルトにより、コンクリート基礎３に固定されている。また、側部縦基礎壁１０の前後方向の上面には、図示省略の側部土台が設置され、アンカーボルトにより、コンクリート基礎３に固定されている。
【００２０】
前記の前部側の土台１３ａにおける左右方向の端部には、図２に示すように、隅部柱１５が立設するように設けられ、その隅部柱１５の上端部間には、図１に示すように、上部横梁１６が架設されて固定されている。
【００２１】
後部縦基礎壁９上の土台１３ｂ上には、左右方向の中間部において開口部を有する断熱材充填パネルからなる後部断熱壁１７が立設されて固定され、前記の後部断熱壁１７の上端部には、断熱材充填パネルからなる天井断熱パネル１８およびその上面側に屋根材１９を備えた断熱屋根２０の後部が固定されている。
【００２２】
断熱屋根２０の前端部と、上部横梁１６とには、後部に向かって急傾斜した前部傾斜梁２１の各端部が連結されて躯体フレームが構成されている。前記の前部傾斜梁２１は左右方向に間隔をおいて複数設置されている。そして前部傾斜梁２１と上部横梁１６等に支持させるように、ガラス等の採光板または塩化ビニルシート等の透明または半透明フィルムからなる採光用面状シートの周囲を枠材により支持してなる採光部材、あるいは、塩化ビニルシート等の透明または半透明フィルムからなる採光用面状シートを、必要に応じ前部傾斜梁２１に設けた止め着金具（図示を省略）で支持してなる採光部材等からなる前部採光用屋根２２が設置されている。
【００２３】
また、前部上部横梁１６と土台１３ａとの間には、木材乾燥室４Ａの左右方向にスライド式に開閉するアルミ製引き戸あるいは左右方向の一端側の縦軸を中心として前面側に開閉可能な回動式のアルミ製開閉扉からなる木材搬出搬入口設備２２を備えている。
前記の木材搬出搬入口設備２２を構成する引き戸あるいは扉は、前記と同様、ガラス等の採光板または塩化ビニルシート等の透明または半透明フィルムからなる採光用面状シートの周囲を枠材により支持してなる引き戸あるいは扉であるか、あるいは、塩化ビニルシート等の透明または半透明フィルムからなる採光用面状シートを枠材により支持してなる引き戸あるいは扉である。前記の木材搬出搬入設備２２は機密性を有するアルミ戸とするとよい。
木材乾燥室４Ａにおける東西面には、ガラス等の採光板または塩化ビニルシート等の透明または半透明フィルムからなる採光用面状シートの周囲を枠材により支持してなる採光部材、あるいは、塩化ビニルシート等の透明または半透明フィルムからなる採光用面状シートを、前記の隅部柱１５と木材搬出搬入設備２２とに支持させ、あるいは隅部柱１５と側部断熱壁４４とに支持させた、側部採光用側壁３９が設けられている。
なお、木材乾燥室４Ａにおける南面を形成する木材搬出搬入設備２２以外の部分がある場合にはその部分に、前記側部採光用側壁３９と同様に前部採光用前壁が設けられる。
なお、塩化ビニルシートあるいはフィルム等の端部は接着材により断熱壁パネルに固定するようにしてもよい。
【００２４】
前部側の土台１３ａに支持させるように適宜スペーサ（図示を省略した）を介して、多孔格子状の鋼製グレーチング２３が、一つまたは左右方向に複数並べて設置されている。
【００２５】
前記グレーチング２３上には、左右方向および前後方向に間隔をおいて脚部２４、および前後の脚部２４上端部上に架設された側部枠材２５、並びに各側部枠材２５間に架設された木材支持横枠材２６を有する木材載置台２７が一つまたは左右方向に複数並べて設置されている。
【００２６】
前記木材載置台２７上には、縦枠材２８および左右方向の横支承枠材２９ならびに前後方向の側部支承枠材３０が適宜着脱可能なクランプ金具３１などにより組み立てられた木材立て掛け用枠体３２における前記縦枠材２８の下部が固定されている。
【００２７】
前記後部断熱壁１７における開口部には、間隔をおいて配置された縦框および上框等の枠材３３が設けられると共にその枠材３３に囲まれた部分に点検用扉３４が開閉可能に設置されている。前記の点検用扉３４は表裏の各鋼製面板の間に断熱材３５が充填された断熱パネルに枠材が設けられて構成されており、また、結露室内側となる表面に、結露促進用のアルミ板等からなる金属製結露促進板３６が貼着等により固着された断熱構造とされている。
また、前記の後部断熱壁１７の除湿室４Ｂ内側には、結露促進用のアルミ板等からなる金属製結露促進板３６が貼着等により固着されている。
前記点検用扉３４は、除湿室４Ｂ内の結露促進板３６の表面状体等の点検および清掃等に利用され、後記の実施形態においては、ファンあるいは除湿機等の各種設備の補修点検等に利用される。
【００２８】
前記大引１４上には、木材乾燥室４Ａ側の片面に金属製等の反射板３７を前部表面全体に設けた断熱材充填壁からなる仕切り断熱壁３８が垂直に立設するように固定されている。前記の仕切り断熱壁３８の後面には、結露促進用のアルミ板等からなる金属製結露促進板３６が設けられている。前記仕切り断熱壁３８に固着された金属製結露促進板３６には、その両側部に接続板３６ａが設けられ、その接続板３６ａが、側部断熱材壁４４に設けられる金属製結露促進板３６に面接触することにより、仕切り断熱壁３８の結露促進板３６が、側部縦基礎壁１０に接触している側部断熱壁４４の金属製結露促進板３６を介して冷却されるようにされている。
前記の仕切り断熱壁３８の前部の上端部は、前部傾斜梁２１に適宜取り付け金具（図示を省略）により固定され、仕切り断熱壁３８の上端が位置固定されている。
前記の金属製結露促進板３６の下端部の裏面は、コンクリート基礎３における後部縦基礎内側面あるいは側部縦基礎内側面に面接触するようにされ、温度が一定している地表面下の地盤２に接触しているコンクリート基礎３を利用して冷却されるように構成され、結露が促進するようにされている。
【００２９】
前記の仕切り断熱壁３８と前部採光用屋根２２および天井屋根パネル１８との間は、ほぼ前記の前部傾斜梁２１の傾斜した幅寸法の分、湿潤空気循環用間隙Ｇが形成されている。
【００３０】
前記の湿潤空気循環用間隙Ｇは、木材乾燥室４Ａの左右方向に延長するように設けられている。なお、前記の天井パネル１８の下面に、アルミ板等の金属製結露促進板を設けるようにしてもよく、この部分の金属製結露促進板にも、後部断熱壁あるいは側部断熱壁における結露促進板に接続または接触するように接続板を設けるとよい。
【００３１】
前記のように基礎３上に木材乾燥室４Ａおよび除湿室４Ｂを備え、各室を湿潤空気循環用間隙Ｇを介して連結した木材乾燥装置１とされている。
【００３２】
前記のような木材乾燥装置１では、前部採光用屋根２２および木材搬出搬入口設備２２側からの太陽光の採光を可能とされ、仕切り断熱壁３８前部の反射板での反射および木材載置台２７における輻射熱により、温室内４Ａ内に配置される包装木材４０を効率よく昇温維持させ、木材４０内における水分を効率よく蒸発させることが可能にされている。
【００３３】
また、前記の形態では、太陽光を受けたグレーチング２３からの輻射熱が、包装された木材４０に作用して、包装された木材４０を暖めるので、グレーチング２３からの輻射熱を有効に利用することができ、包装された木材４０を昇温維持させると共に対流空気により水分を蒸発させて、木材を効率よく乾燥することができる。
前記のように構成された木材乾燥装置１では、夏季（冬季）において木材乾燥室４Ａの室内温度を８５℃（６０℃）にすることが可能であり、また、除湿室４Ｂは、断熱壁で覆われた構造とされて太陽光は遮断されていると共に結露促進板３６が冷却される構造とされているので、木材乾燥室４Ａと除湿室４Ｂとは、夏季（冬季）において少なくとも５０℃（４０℃）の温度差を図ることができ、木材４０から蒸発した樹液を含む水蒸気の結露を効率よく図ることができる。
【００３４】
また、木材乾燥室４Ａ内において木材４０を昇温維持させて蒸発した水分を含む湿潤空気は矢印Ａで示すように上昇する流れ（対流）を起して上昇し、湿潤空気循環用間隙Ｇを通って除湿室４Ｂ内に対流により送られ、結露促進板３６に触れた湿潤空気は結露を起こしてピット１１に滴下されるようになる。また、滴下して湿度が低下した乾燥した空気は、木材乾燥室４Ａ内に対流され、再度木材４０を乾燥するために使用される。
【００３５】
前記のような木材乾燥装置１における木材乾燥室４Ａ内に、間伐材等を製材して新聞紙等により包装された木材４０が、木材搬入搬出設備２２側から前記の木材立て掛け用枠体３２に搬入されて立て掛けられている。
【００３６】
次に、前記実施形態にさらに設備を追加した第２〜第４実施形態について説明する。これらの形態では、第１実施形態と相違する部分を主に説明する。
【００３７】
図５には、本発明の第２実施形態の木材乾燥装置１が示されている。
【００３８】
この形態では、前記実施形態１の構造に加えて、後部縦基礎壁９に、排気ファン４１を設置して、湿潤空気の一部を排気すると共に対流を促進させるようにした形態である。前記の排気ファン４１としては、電動式ファンとしてもよく、あるいは前記の対流を利用した自然換気ファンとしてもよい。排気ファン４１の設置台数としては、木材乾燥装置１の大きさ等により適宜配置してもよい。
このように排気ファン４１を設けることにより、湿潤空気および乾燥空気の一部を排気するようにしてもよい。
排気ファン４１により排気された空気分、乾燥装置における前面側の木材搬出搬入設備２２側の上下部あるいは側部の隙間からの外気の流入を期待するようにしてもよく、気密性が高い場合には、外気流入孔を木材搬出搬入設備２２（前部側）または側部壁あるいは後部壁または基礎に設けるようにしてもよい。
その他の構成は前記実施形態と同様であるので、同様な要素の部分には同様な符号を付した。
【００３９】
図６には、本発明の第３実施形態の木材乾燥装置１が示されている。
この形態では、前記実施形態１の構造に加えて、後部の下部に、後部縦基礎壁９あるいは側部縦基礎壁１０に支持させる電動式等の除湿機４２を設けて、積極的に湿潤空気の除湿を図り、湿度が低下した乾燥空気を、積極的にピット１１側に排気し、対流を促進させるようにした形態である。
このように積極的に除湿および対流を促進させると、効率よく木材を乾燥させることができる。
【００４０】
図７には、本発明の第４実施形態の木材乾燥装置１が示されている。
この形態では、前記第１実施形態の構造に加えて、対流促進用の電動式ファン４３が設けられている形態である。前記の電動式ファン４３は、後部断熱壁１７または側部断熱壁４４あるいは仕切り断熱壁３８の壁面に取り付け金具（図示を省略した）により適宜取り付けられる。なお、対流促進用のファン４３は、第１実施形態以外の各実施形態においても利用可能であり、設置することにより対流を促進し、木材乾燥を促進することができる。また、対流促進用のファン４３の設置位置としては、木材乾燥室４Ａあるいは除湿室４Ｂのいずれに配置しても対流を促進することができ、設置位置は適宜の位置でよく、設置する台数も図３に示すように複数配置してもよい。その他の構成は、前記実施形態の場合と同様である。
【００４１】
次に、前記のような乾燥装置を使用して、製材された木材４０を乾燥させる場合について説明する。
【００４２】
間伐材などを製材して包装された包装木材４０は、防風、防水、透湿性に勝れる紙で包装するが好ましく、例えば、通常の新聞紙あるいはクラフト紙等を包装紙として、木材を包装する。前記のように木材を包装する理由は、前記のように製材された木材を包装することにより、照射熱，輻射熱の昇温を維持し、木材表面の急激な乾燥を防止し、表面側の乾燥速度をゆるやかにすると共に、木材中における中心側の水分を表層側に移動させる水分移動を促すようにする。
【００４３】
このような状態とすることにより、製材された木材の割れを極力防止しながら乾燥させることができる。
【００４４】
前記のように包装された木材４０を、木材乾燥室４Ａ内の木材載置台２７に立て掛ける。
なお、木材４０上に立て掛け用枠体３２を備えていない場合には、包装された木材を格子状等に桟積みしてもよい。
【００４５】
前記のように包装された木材４０を、木材乾燥室４Ａ内における前部側に設置し、太陽光を利用して乾燥させる。なお、木材４０の配置は、間隔をおいた千鳥状配置等とすることにより、木材間に排水用のピット１１側（木材４０の下方）から、対流による乾燥した空気が包装された木材４０の全表面に沿って流れるようにして乾燥処理するのが好ましい。
【００４６】
太陽光が木材乾燥室４Ａに照射されると、木材乾燥室４Ａ内は５０℃あるいは６０℃〜８５℃に昇温され、また、断熱材で囲まれた部分との温度差は３０℃〜５０℃程度の差を生じるようになる。そのため、前部の包装された木材から水分が蒸発され湿潤上昇空気流Ａを起し、この湿潤上昇空気流が原因となって、木材乾燥室４Ａ内において対流を起こすようにする。
【００４７】
より具体的には、前記の湿潤上昇空気流Ａは、仕切り断熱壁３８上端の間隙Ｇを通り、例えば、北側に設けられた除湿室４Ｂ内の低温循環通路内に流入させ、この低温循環通路内における結露促進板３６の部分で結露を促し、湿潤空気を温度および湿度が低下した乾燥空気の下降流とし、その乾燥空気流が基礎ピット１１内を通過し、クレーチング２３および木材立て掛け用枠体３２に支承されてている乾燥用木材４を乾燥させるために、再度循環される。
【００４８】
なお、木材立て掛け用枠体３２を介して支持されている包装された木材４０（立て掛けられた木材４０間または桟積みされた木材間）間を流れるように、空気の対流は促進される。
また、木材立て掛け用枠体３２には、適宜木材４０の傾倒防止用金具が取り付けられ、木材４０の傾倒が防止される。
【００４９】
なお、本発明を実施する場合、前記のコンクリート基礎３の下面レベルとしては、例えば地下１ｍ以下として、一定の温度の地下地盤温度を冷却源とするようにする。
【００５０】
前記のような乾燥装置１により包装した木材４０を乾燥した場合のメカニズムは、防水，防風，透湿紙である新聞紙あるいはクラフト紙の包装により、木材乾燥室４Ａ内において木材温度８０℃程度（夏季照射時）〜５０℃（冬季照射時）を保ち、包装木材４０中の表面側への水分移動を促し、木材の狂いや歪を出し、割れを防ぐことができる。
前記のように木材の乾燥初期（含水率４０％程度）において、木材表面が低い湿度になることを防ぎ、木材中心部から木材表面部側への水分移動を促し、包装紙表面の湿気を蒸発させることで、含水率１２％以下の木材を乾燥・生産させることができる。反対に、木材の乾燥初期において外気にふれると木材の表面乾燥が進み、蒸発を阻止しようとする働きが起き、木材に割れが生じるようになる。
【００５１】
間伐材、小径木は反り、曲がり、割れが生じやすいため、縁甲板を機械加工する前に木材の含水率を１２％以下に落とし、木材の狂いや歪みを予め出すことが重要になるが、本発明の乾燥装置では、前記のような利点があるため、間伐材、小径木の割れを防止しながら乾燥させることができる。
【００５２】
本発明の前記のような木材乾燥装置をした場合には、例えば、含水率４０％程度の杉等の間伐材あるいは小径木を前記のような包装した状態で乾燥した場合、１月〜３ヶ月程度で含水率１２％以下の木材に乾燥させることができる。
【００５３】
なお、含水率１５％の木材をさらに乾燥させた場合、平衡含水率を１２％とするため、本発明の乾燥装置１によって乾燥させても、木材の若干の反り歪み、曲がりは生じるが、本発明の乾燥装置３０では、製材後の含水率の高い木材を割れを防止しながら乾燥させたり、含水率１２％以上の木材を含水率１２％以下の木材にすることができる。
【図面の簡単な説明】
【００５４】
【図１】本発明の第１実施形態の木材乾燥装置を示す一部縦断側面図である。
【図２】図１における木材上部支持部付近の横断平面図である。
【図３】図１における木材下部支持部付近の横断平面図である。
【図４】後部の点検用扉付近の背面図である。
【図５】本発明の第２実施形態の木材乾燥装置を示す一部縦断側面図である。
【図６】本発明の第３実施形態の木材乾燥装置を示す一部縦断側面図である。
【図７】本発明の第４実施形態の木材乾燥装置を示す一部縦断側面図である。
【符号の説明】
【００５５】
Ｆ  地盤面
１  木材乾燥装置
２  地盤
３  コンクリート基礎
４Ａ  木材乾燥室
４Ｂ  除湿室
５  前端上面
６  傾斜上面
７  底部上面
８  傾斜上面付き底版
９  後部縦基礎壁
１０  側部縦基礎壁
１１  集水ピット
１２  排水孔
１２ｂ  配水管
１３ａ  前部側の土台
１３ｂ  後部側の土台
１４  大引
１５  隅部柱
１６  上部横梁
１７  後部断熱壁
１８  天井断熱パネル
１９  屋根材
２０  断熱屋根
２１  前部傾斜梁
２２  木材搬出搬入設備
２３  グレーチング
２４  脚部
２５  側部枠材
２６  横枠材
２７  木材載置台
２８  縦枠材
２９  横支承枠材
３０  側部支承枠材
３１  クランプ金具
３２  木材立て掛け用枠体
３３  枠材
３４  点検用扉
３５  断熱材
３６  金属製結露促進板
３６ａ  接続板
３７  反射板
３８  仕切り断熱壁
３９  側部採光用側壁
４０  木材
４１  排気ファン
４２  除湿機
４３  ファン
４４  側部断熱壁
【要約】
【課題】割れの少ない良質な乾燥木材を生産しうる太陽熱利用の木材乾燥方法およびその装置を提供すること。
【解決手段】太陽熱を利用して木材乾燥室内の木材を温めて木材中に含まれる水分を蒸発させ、その水分を含む湿潤空気を前記木材乾燥室４Ａに隣接する除湿室４Ｂに対流させ、除湿室４Ｂに流入した前記湿潤空気を除湿室で除湿して湿度が低下した乾燥空気とし、その乾燥空気を排水用のピット１１を介して前記木材乾燥室４Ａに戻すように循環させる。排水用のピット１１を備えた基礎３上に、太陽熱を利用して木材を温めて木材中の水分を蒸発させるための木材乾燥室４Ａと、前記木材乾燥室４Ａに隣接する除湿室４Ｂとが設けられ、前記木材乾燥室４Ａと除湿室４Ｂとは、これらを仕切る仕切り断熱材壁３８上に設けた空気循環用間隙Ｇを介して接続されている。
【選択図】図１【図１】
0004120845.tif 000002
【図２】
0004120845.tif 000003
【図３】
0004120845.tif 000004
【図４】
0004120845.tif 000005
【図５】
0004120845.tif 000006
【図６】
0004120845.tif 000007
【図７】
0004120845.tif 000008